(57)【要約】【課題】  流量制御弁への異物の侵入を確実に防止することができる油圧エレベータのパワーユニットを得る。【解決手段】  ベース上に設けられた油タンク及びサイレンサ及び制御盤と、油タンク内の作動油中に設けられた油ポンプと、この油ポンプ及びサイレンサ間に順次配管接続された流量制御弁及びストップバルブとを備えた油圧エレベータのパワーユニットにおいて、流量制御弁及びストップバルブ間に配管接続され、流量制御弁側からストップバルブ側及びストップバルブ側から流量制御弁側への作動油の流れに対応するラインフィルタを備える。【選択図】      図１
2006056660.tif 000002
【特許請求の範囲】
【請求項１】
ベース上に設けられた油タンク及びサイレンサ及び制御盤と、前記油タンク内の作動油中に設けられた油ポンプと、この油ポンプ及び前記サイレンサ間に順次配管接続された流量制御弁及びストップバルブとを備えた油圧エレベータのパワーユニットにおいて、前記流量制御弁及び前記ストップバルブ間に配管接続され、前記流量制御弁側から前記ストップバルブ側及び前記ストップバルブ側から前記流量制御弁側への前記作動油の流れに対応するラインフィルタを備えたことを特徴とする油圧エレベータのパワーユニット。
【請求項２】
ベース上に設けられた油タンク及びサイレンサ及び制御盤と、前記油タンク内の作動油中に設けられた油ポンプと、この油ポンプ及び前記サイレンサ間に順次配管接続された流量制御弁及びストップバルブとを備えた油圧エレベータのパワーユニットにおいて、前記油ポンプ及び前記流量制御弁間に配管接続され、前記油ポンプ側から前記流量制御弁側及び前記流量制御弁側から前記油ポンプ側への前記作動油の流れに対応するラインフィルタを備えたことを特徴とする油圧エレベータのパワーユニット。
【請求項３】
ベース上に設けられた油タンク及びサイレンサ及び制御盤と、前記油タンク内の作動油中に設けられた油ポンプと、この油ポンプ及び前記サイレンサ間に順次配管接続された流量制御弁及びストップバルブとを備えた油圧エレベータのパワーユニットにおいて、前記油ポンプ及び前記流量制御弁間に配管接続され、前記油ポンプ側から前記流量制御弁側及び前記流量制御弁側から前記油ポンプ側への前記作動油の流れに対応する第一のラインフィルタと、前記流量制御弁及び前記ストップバルブ間に配管接続され、前記流量制御弁側から前記ストップバルブ側及び前記ストップバルブ側から前記流量制御弁側への前記作動油の流れに対応する第二のラインフィルタとを備えたことを特徴とする油圧エレベータのパワーユニット。
【請求項４】
油タンクとサイレンサ及び制御盤とが、流量制御弁及びストップバルブを前記油タンク側に接続した状態で分離可能に構成したことを特徴とする請求項１又は請求項３に記載の油圧エレベータのパワーユニット。
【発明の詳細な説明】
【技術分野】
【０００１】
この発明は、油圧エレベータに使用されるパワーユニットに関するものである。
【背景技術】
【０００２】
作動油を油タンクから油圧ジャッキへ送出したり油圧ジャッキから油タンクへ還流したりすることによってエレベータのかごの昇降を行う従来の油圧エレベータのパワーユニットには、エレベータ機械室のスペースを縮減させるため、パワーユニット内のベース上に油タンクと制御盤とを並置するとともに、制御盤の側面においてベース上にサイレンサを設置したものがある（例えば、特許文献１参照）。
【０００３】
【特許文献１】特開平３−１６２３８６号公報
【発明の開示】
【発明が解決しようとする課題】
【０００４】
特許文献１記載の油圧エレベータのパワーユニット（以下、油圧パワーユニットという。）には、油タンクからサイレンサ若しくはストップバルブに至る間に流量制御弁が配置されており、この流量制御弁のピストンの開度が制御されることによって作動油の流量が調節され、かごの昇降が制御されている。この流量制御弁にはピストン背室に至る経路に細い絞りが設けられており、ピストンの開度は、このピストン背室に流入する油によって制御されている。したがって、作動油中に含まれている異物等が上記絞り部分に侵入した場合には、この異物が作動油の流れを阻害することによってピストンの動きが鈍くなったり、絞り部分を完全に閉塞することによってピストンが動かなくなったりして、エレベータの運転に異常をきたすこととなる。かかる異常運転を防止するため、油圧パワーユニットの内部には、従来から油ポンプの油吸込み部にポンプフィルタが、また、流量制御弁内の絞りの手前にフィルタが設けられている。また、これらのフィルタとは別に流量制御弁より油圧ジャッキ側の配管にラインフィルタを設置する場合、通常、油圧ジャッキから流量制御弁に戻る１方向の流れに対応するラインフィルタが油圧パワーユニットの外側に配管接続されていた。しかし、このラインフィルタは、目詰まりインジケータを備えた大型のものであり、油圧パワーユニット内部に取り付けることは困難であった。
【０００５】
また、油タンクとサイレンサと制御盤とが一体的に構成された特許文献１記載の油圧パワーユニットは、据付時の搬入経路に問題がある場合や保守作業時等に、油タンク部分とサイレンサ及び制御盤とを分離することがあるが、分離及び接続する際に油圧パワーユニット内に異物が混入し、流量制御弁内にこの異物が侵入する恐れもあった。
【０００６】
この発明は、上述のような課題を解決するためになされたもので、その目的は、流量制御弁への異物の侵入を確実に防止することができる油圧エレベータのパワーユニットを提供することである。
【課題を解決するための手段】
【０００７】
この発明に係る油圧エレベータのパワーユニットは、ベース上に設けられた油タンク及びサイレンサ及び制御盤と、油タンク内の作動油中に設けられた油ポンプと、この油ポンプ及びサイレンサ間に順次配管接続された流量制御弁及びストップバルブとを備えた油圧エレベータのパワーユニットにおいて、流量制御弁及びストップバルブ間に配管接続され、流量制御弁側からストップバルブ側及びストップバルブ側から流量制御弁側への作動油の流れに対応するラインフィルタを備えたものである。
【発明の効果】
【０００８】
この発明は、ベース上に設けられた油タンク及びサイレンサ及び制御盤と、油タンク内の作動油中に設けられた油ポンプと、この油ポンプ及びサイレンサ間に順次配管接続された流量制御弁及びストップバルブとを備えた油圧エレベータのパワーユニットにおいて、流量制御弁及びストップバルブ間に配管接続され、流量制御弁側からストップバルブ側及びストップバルブ側から流量制御弁側への作動油の流れに対応するラインフィルタを備える構成としたことで、流量制御弁への異物の侵入を確実に防止することができる。
【発明を実施するための最良の形態】
【０００９】
実施の形態１．
図１は、この発明の実施の形態１における油圧エレベータのパワーユニットの構成図である。図において、油圧式エレベータ装置の機械室に設置された油圧パワーユニット１は、ベース２上に後述する油タンク３及びサイレンサ４、制御盤（図示せず）が設けられ、一体的に構成されている。ベース２上に設置された油タンク３内には作動油５が貯えられており、電動機６とこの電動機６によって駆動される油ポンプ７とは、油タンク３に固定された支持板８ａとこの支持板８ａ及び電動機６を連結する支持棒８ｂとによって、作動油５中に支持されている。また、油タンク３の上方には、作動油５の流量を制御する流量制御弁９が設けられており、作動油５中に配置された油ポンプ７と流量制御弁９とは、油タンク３の蓋３ａを貫通する配管１０ａによって接続されている。また、ベース２上に設けられた圧力脈動を減衰させるサイレンサ４の上方には、このサイレンサ４と配管１０ｂによって接続されたストップバルブ１１が設けられており、このストップバルブ１１と前述した流量制御弁９との間にラインフィルタ１２ａが配置されている。なお、流量制御弁９とラインフィルタ１２ａとは配管１０ｃによって、また、ラインフィルタ１２ａとストップバルブ１１とは配管１０ｄによってそれぞれ接続されている。流量制御弁９とストップバルブ１１との間に配管接続されたこのラインフィルタ１２ａは、配管１０ｃ側の作動油５内の異物が配管１０ｄ側に流れることを阻止し、且つ、配管１０ｄ側の作動油５内の異物が配管１０ｃ側に流れることを阻止するような２方向の流れに対応するものである。なお、ラインフィルタ１２ａは、作動油５の２方向の流れに対応するため、目詰まりに対する清掃やフィルタ交換等の保守作業を必要とせず、簡易的な構造を有している。また、サイレンサ４から油圧ジャッキ１３までは配管１０ｅによって接続されており、エレベータのかご１４は、油タンク３内の作動油５が、油ポンプ７から流量制御弁９及びラインフィルタ１２ａ、ストップバルブ１１、サイレンサ４を介して油圧ジャッキ１３に送出されることによって上昇し、油圧ジャッキ１３からサイレンサ４及びストップバルブ１１、ラインフィルタ１２ａ、流量制御弁９を介して油タンク３へ還流されることによって下降する。
【００１０】
以上のように構成された油圧パワーユニット１は、油タンク３とサイレンサ４及び制御盤とが、流量制御弁９及びラインフィルタ１２ａ、ストップバルブ１１を油タンク３側に接続した状態で分離可能な構成を有している。したがって、油圧パワーユニット１の据付時に、搬入経路の制約等によって油タンク３とサイレンサ４と制御盤とをベース２上に設置した状態のまま搬入することができない場合には、上記のように、油タンク３とサイレンサ４及び制御盤とを分離し、搬入後再組立を行う。
【００１１】
この発明の実施の形態１によれば、流量制御弁９とストップバルブ１１との間に配管接続されたラインフィルタ１２ａは、ラインフィルタ１２ａよりも配管１０ｃ側の作動油５中に存在する異物が配管１０ｄ側に流れることを阻止でき、且つ、配管１０ｄ側の作動油５中に存在する異物が配管１０ｃ側に流れることを阻止できる機能を有していれば良い。即ち、ラインフィルタ１２ａは、作動油５中の異物を捕獲する機能を必要としないため、目詰まりインジケータを備える必要もなく、装置自体の小型化が可能となる。したがって、油圧パワーユニット１の内部に容易に設置することが可能である。また、ラインフィルタ１２ａが流量制御弁９とストップバルブ１１との間に配管接続されているため、ラインフィルタ１２ａよりも油圧ジャッキ１３側の作動油５中に万一異物が侵入した場合でも、その異物が流量制御弁９内に侵入する恐れはなく、安定した流量制御弁９の制御を行うことが可能となる。つまり、据付時や保守作業時等に、油タンク３とサイレンサ４及び制御盤とを分離する場合でも、ストップバルブ１１を油タンク３側に接続した状態で分離することにより、ラインフィルタ１２ａより流量制御弁９側の作動油５中に異物が混入することはない。万一、油タンク３とサイレンサ４及び制御盤との分離及び接続時に作動油５中に異物が侵入してしまった場合でも、その侵入位置はラインフィルタ１２ａよりも油圧ジャッキ１３側であり、ラインフィルタ１２ａによってこの異物が流量制御弁９内に侵入することを防止することができる。
【００１２】
実施の形態２．
図２は、この発明の実施の形態２における油圧エレベータのパワーユニットの構成図である。図において、油ポンプ７と流量制御弁９との間には、ラインフィルタ１２ｂが油タンク３内に配置されており、油ポンプ７とラインフィルタ１２ｂとが配管１０ｆによって、また、ラインフィルタ１２ｂと流量制御弁９とが配管１０ｇによってそれぞれ接続されている。なお、このラインフィルタ１２ｂは、実施の形態１におけるラインフィルタ１２ａと同様の構成を有しており、ラインフィルタ１２ｂよりも配管１０ｆ側の作動油５中に存在する異物が配管１０ｇ側に流れることを阻止し、且つ、配管１０ｇ側の作動油５中に存在する異物が配管１０ｆ側に流れることを阻止するような２方向の流れに対応するものである。また、ラインフィルタ１２ａは、作動油５の２方向の流れに対応するため、目詰まりに対する清掃や交換等の保守作業を必要とせず、簡易的な構造を有している。また、作動油５の流量を制御する流量制御弁９とサイレンサ４に配管接続されたストップバルブ１１とは配管１０ｈによって接続されており、その他の油圧パワーユニット１は、実施の形態１と同様の構成を有している。
【００１３】
この発明の実施の形態２によれば、油ポンプ７と流量制御弁９との間に配管接続されたラインフィルタ１２ｂは、実施の形態１のラインフィルタ１２ａと同様に、作動油５中の異物を捕獲する機能を必要としないため、目詰まりインジケータを備える必要もなく、装置自体の小型化が可能となる。したがって、油圧パワーユニット１の内部に容易に設置することができる。また、ラインフィルタ１２ｂは、油ポンプ７と流量制御弁９との間に配管接続されているため、油タンク３内の作動油５中にある異物が万一油ポンプ７を通過した場合でも、その異物が流量制御弁９内に侵入する恐れはなく、安定した流量制御弁９の制御を行うことが可能となる。なお、このラインフィルタ１２ｂによって作動油５中の異物が油ポンプ７側から流量制御弁９内へ侵入することを防止することができるため、油ポンプ７の吸込み口に設けられたフィルタの網目を粗くすることも可能である。また、ＶＶＶＦ制御によってかご１４の昇降を制御する場合でも、作動油５は、かご１４の下降時に油ポンプ７を介して油タンク３に戻るため、同様のラインフィルタ１２ｂを使用することができる。
【００１４】
実施の形態３．
図３は、この発明の実施の形態３における油圧エレベータのパワーユニットの構成図である。図において、油ポンプ７と流量制御弁９との間には、ラインフィルタ１２ｂ（第一のラインフィルタ）が油タンク３内に配置されており、油ポンプ７とラインフィルタ１２ｂとが配管１０ｆによって、また、ラインフィルタ１２ｂと流量制御弁９とが配管１０ｇによってそれぞれ接続されている。また、流量制御弁９とストップバルブ１１との間には、ラインフィルタ１２ａ（第二のラインフィルタ）が配置されており、流量制御弁９とラインフィルタ１２ａとが配管１０ｃによって、また、ラインフィルタ１２ａとストップバルブ１１とが配管１０ｄによってそれぞれ接続されている。なお、ラインフィルタ１２ａ及び１２ｂの構成並びにその他の油圧パワーユニット１の構成は、実施の形態１又は２と同様である。
【００１５】
この発明の実施の形態３によれば、流量制御弁９は、ラインフィルタ１２ａと１２ｂとの間に配置されているため、エレベータ１４の上昇時及び下降時の何れにおいても、ラインフィルタ１２ａ又は１２ｂによって異物が除去された作動油５が流量制御弁９に供給されることとなる。したがって、流量制御弁９内に異物が侵入することを確実に防止することが可能であり、常に安定したエレベータの運転を提供することが可能となる。
【図面の簡単な説明】
【００１６】
【図１】この発明の実施の形態１における油圧エレベータのパワーユニットの構成図である。
【図２】この発明の実施の形態２における油圧エレベータのパワーユニットの構成図である。
【図３】この発明の実施の形態３における油圧エレベータのパワーユニットの構成図である。
【符号の説明】
【００１７】
１  油圧パワーユニット
２  ベース
３  油タンク
３ａ  蓋
４  サイレンサ
５  作動油
６  電動機
７  油ポンプ
８ａ  支持板
８ｂ  支持棒
９  流量制御弁
１０ａ、１０ｂ、１０ｃ、１０ｄ、１０ｅ、１０ｆ、１０ｇ、１０ｈ  配管
１１  ストップバルブ
１２ａ、１２ｂ  ラインフィルタ
１３  油圧ジャッキ
１４  かご
【図１】
2006056660.tif 000003
【図２】
2006056660.tif 000004
【図３】
2006056660.tif 000005